(57)【要約】【課題】ディスクドライブユニットに対するディスク媒体の誤挿入を防止する。【解決手段】ディスクドライブユニット（ＯＤＤユニット８）と、第１の筐体部（上側筐体カバー１２）と、第２の筐体部（下側筐体カバー１４）とを備える。ディスクドライブユニットは、電子機器に内蔵し、ディスク媒体をスライドさせて挿入する挿入口を備える。第１の筐体部は、前記ディスクドライブユニットの上面側を覆い、前記挿入口の上部側を覆うように形成されたカバー部１８を備える。第２の筐体部は、前記第１の筐体部と接合し、前記ディスクドライブユニットを収納する収納部を形成する。【選択図】図１
2012033240.tif 000002
【特許請求の範囲】
【請求項１】
電子機器に内蔵し、ディスク媒体をスライドさせて挿入する挿入口を備えるディスクドライブユニットと、
前記ディスクドライブユニットの上面側を覆い、前記挿入口の上部側を覆うように形成されたカバー部を備える第１の筐体部と、
前記第１の筐体部と接合し、前記ディスクドライブユニットを収納する収納部を形成する第２の筐体部と、
を備えたことを特徴とする電子機器。
【請求項２】
前記カバー部は、収納された前記ディスクドライブユニットの前記挿入口の上部側の一部又は全部を覆うように形成したことを特徴とする、請求項１に記載の電子機器。
【請求項３】
前記カバー部は、前記ディスク媒体のスライド方向に移動する前記ディスクドライブユニットに接触して、その移動方向を変位させる挿抜リブを備えることを特徴とする、請求項１に記載の電子機器。
【請求項４】
前記収納部は、前記ディスクドライブユニットの挿入先に前記ディスクドライブユニットのコネクタと接続されるコネクタを備え、
該コネクタは、スライド方向に移動した前記ディスクドライブユニットが前記挿抜リブに接触して変位することで接続を解除することを特徴とする、請求項３に記載の電子機器。
【請求項５】
ディスク媒体をスライドさせて挿入する挿入口を備えるディスクドライブユニットの上面側を覆い、前記挿入口の上部側を覆うように第１の筐体部にカバー部を形成する工程と、
前記第１の筐体部と接合し、前記ディスクドライブユニットを収納する収納部を第２の筐体部に形成する工程と
を含むことを特徴とする電子機器の製造方法。
【発明の詳細な説明】
【技術分野】
【０００１】
本発明は、記録媒体を挿入するドライブユニットを備えた電子機器の筐体技術に関し、例えば、ドライブユニットと筐体部との間に生じた隙間に対して、記憶媒体等の誤挿入防止構造を備えた電子機器及びその製造方法に関する。
【背景技術】
【０００２】
光学ディスクドライブ（ＯＤＤ：Optical Disk Drive) ユニットを搭載した電子機器に対し、記録媒体であるディスクを挿入する場合、例えば、ドライブユニットと筐体部との間に形成された隙間等に誤挿入することがある。このような誤挿入を防止するため、隙間内の筐体部にリブを設けたり、スポンジ等を設置するものがある。
【０００３】
このようなドライブユニットに対するディスクの誤挿入防止構造として、ディスクカートリッジ搬送用のトレーに凹部を形成し、本体部側に対応する凸部を形成して、この凹部と凸部とを嵌合させるものがある（特許文献１）。
【先行技術文献】
【特許文献】
【０００４】
【特許文献１】特開平７−３７３１３公報
【発明の概要】
【発明が解決しようとする課題】
【０００５】
ところで、ディスク媒体の誤挿入を防止するため、ディスクドライブユニットと電子機器の筐体部等との間に生じた隙間に閉塞部材を配置して、ディスク等の進入を防ぐものがあるが、隙間自体を無くすことはできない。そのため、ディスク媒体をその隙間に強く押し込めば、ディスクドライブユニットや電子機器の筐体部等が変形して、ディスク媒体を誤挿入してしまうという問題がある。
【０００６】
また、このような隙間に閉塞部材を設置すると、この閉塞部材による圧迫や荷重により、ディスクドライブユニットに負荷が掛かり、内部側から異音を生じさせる等、故障の原因となる。更に、電子機器内部側に設置する際には、例えば、ディスクドライブユニットを電子機器の内部側に向けてスライドさせるため、ディスクドライブユニットと筐体部との間に閉塞部材を設置するのは、困難な作業となる。
【０００７】
そこで、本開示の電子機器、又はその製造方法の目的は、電子機器の組立て性を低下させることなく、ディスクドライブユニットに対するディスク媒体の誤挿入を防止することにある。
【課題を解決するための手段】
【０００８】
上記目的を達成するため、本開示の電子機器は、ディスクドライブユニットと、第１の筐体部と、第２の筐体部とを備える。ディスクドライブユニットは、電子機器に内蔵し、ディスク媒体をスライドさせて挿入する挿入口を備える。第１の筐体部は、前記ディスクドライブユニットの上面側を覆い、前記挿入口の上部側を覆うように形成されたカバー部を備える。第２の筐体部は、前記第１の筐体部と接合し、前記ディスクドライブユニットを収納する収納部を形成する。斯かる構成により、上記目的が達成される。
【０００９】
また、本開示の電子機器の製造方法は、カバー部形成工程と、第２の筐体部形成工程とを含む。カバー部形成工程は、ディスク媒体をスライドさせて挿入する挿入口を備えるディスクドライブユニットの上面側を覆い、前記挿入口の上部側を覆うように第１の筐体部にカバー部を形成する。第２の筐体部形成工程は、前記第１の筐体部と接合し、前記ディスクドライブユニットを収納する収納部を第２の筐体部に形成する。
【発明の効果】
【００１０】
本開示の電子機器又はその製造方法によれば、次のいずれかの効果が得られる。
【００１１】
(1) ディスクドライブユニットを収納する筐体部の構成により、隙間が筐体外部側に出なくなるので、ディスク媒体の誤挿入を防止することができるとともに、電子機器の組立て性を低下させない。
【００１２】
(2) ディスクドライブユニットや電子機器の変形により隙間が生じなくなり、ディスク媒体の誤挿入を防止できる。
【００１３】
(3) 誤挿入防止構造がディスクドライブユニットに接触しないので、ディスク媒体の動作異常や異音等の発生を防止することができる。
【００１４】
そして、本発明の他の目的、特徴及び利点は、添付図面及び各実施の形態を参照することにより、一層明確になるであろう。
【図面の簡単な説明】
【００１５】
【図１】第１の実施の形態に係る電子機器の構成例を示す断面図である。
【図２】ＯＤＤユニットから搬送トレーが出た状態例を示す図である。
【図３】ＯＤＤユニットに対する誤挿入防止構造を備える筐体の構成例を示す図である。
【図４】第２の実施の形態に係るＰＣの外観構成例を示す図である。
【図５】ＯＤＤ装置からトレーが突出した状態の外観構成例を示す図である。
【図６】ＯＤＤ装置のトレーの開閉状態に対する誤挿入防止構造の構成例を示す図である。
【図７】本体筐体部の構成例を示す分解図である。
【図８】ＰＣの本体筐体部の下面側の構成例を示す図である。
【図９】ＰＣの本体筐体部の下側カバーを外した状態の一例を示す図である。
【図１０】ＰＣの本体筐体部の構成例を示す分解図である。
【図１１】ＯＤＤ装置の構成例を示す図である。
【図１２】第３の実施の形態に係る上側筐体カバーの構成例を示す図である。
【図１３】ＯＤＤ装置の挿抜状態の一例を示す図である。
【図１４】下側筐体カバーを備えた場合のＯＤＤ装置の挿抜状態の一例を示す図である。
【図１５】第４の実施の形態に係る電子機器の製造処理の一例を示すフローチャートである。
【図１６】従来の誤挿入防止構造の比較例を示す図である。
【図１７】従来の誤挿入防止部品の配置例を示す図である。
【図１８】ＯＤＤ媒体を誤挿入した状態の一例を示す図である。
【図１９】他の実施の形態に係る装置の構成例を示す図である。
【発明を実施するための形態】
【００１６】
〔第１の実施の形態〕
【００１７】
第１の実施の形態について、図１、図２及び図３を参照する。図１は、第１の実施の形態に係る電子機器の構成例を示す断面図、図２は、ＯＤＤユニットから搬送トレーが突出した状態の一例を示す図、図３は、ＯＤＤユニットに対する誤挿入防止構造を備える筐体の構成例を示す図である。図１〜図３に示す構成は一例であって、これに限定されない。
【００１８】
この電子機器２は、本開示の電子機器の一例であって、本体筐体部４の内部に形成された収納部６内にＯＤＤ（Optical Disc Drive) ユニット８を備えている。また、この本体筐体部４は、ＯＤＤユニット８に対して挿入されるＯＤＤ媒体の誤挿入を防止する誤挿入防止構造９を備える。
【００１９】
ＯＤＤユニット８は、例えば、ＣＤ（Compact Disk）やＤＶＤ（Digital Versatile Disk）等の光学式の記録媒体を取り込んで、記録媒体からデータの読み出しや書込み処理を行うアクセス用装置であって、ディスクドライブユニットの一例である。電子機器２は、例えば、キーボード等の操作部１０を備えるとともに、ＯＤＤユニット８や機能制御部等を備えた本体筐体部４と、表示部等を備えた表示側筐体部５（図３）とで構成された所謂ノート型ＰＣ（Personal Computer)等である。
【００２０】
本体筐体部４は、例えば、上側筐体カバー１２と下側筐体カバー１４との接合により形成された内部空間に、ＯＤＤユニット８等を収納する収納部６を備えている。上側筐体カバー１２は、第１の筐体部の一例であって、本体筐体部４の上面側を覆う筐体部品として、例えば、操作部１０等の部品を外部に露出可能に形成されている。
【００２１】
また、上側筐体カバー１２は、先端側に、ＯＤＤユニット８のＯＤＤカバー１６側に向けて突出させたカバー部１８を備える。このカバー部１８は、ＯＤＤカバー１６と合わせて構成される、ＯＤＤユニット８に対するＯＤＤ媒体の誤挿入防止構造９の一例である。カバー部１８は、本体筐体部４の外装部材として、ＯＤＤカバー１６に対して、例えば、曲線状、又は直線状の形状とすればよい。そして、このカバー部１８は、収納部６の上部側の一部を覆う位置に設置されている。即ち、図１において、収納部６の上部側を基準にすると、カバー部１８の先端部分は、収納部６の下方側に向けて長さｄだけ突出している。この長さｄは、例えば、ＯＤＤユニット８と収納部６との隙間ｓと同様の長さに設定してもよい。このように、カバー部１８が収納部６の内側に向けて突出しているので、ＯＤＤユニット８を収納部６から抜き出す場合に、ＯＤＤユニット８の上部側の一部がカバー部１８に接触する。
【００２２】
下側筐体カバー１４は、上側筐体カバー１２との接合により、本体筐体部４を構成する第２の筐体部の一例である。そして、下側筐体カバー１４は、電子機器２に内蔵するＯＤＤユニット８等の装置やマザーボード等の制御部品等を所定位置で保持する。
【００２３】
ＯＤＤカバー１６は、ＯＤＤユニット８の前面側の保護手段であるとともに、ＯＤＤ媒体の誤挿入防止構造９の一例である。図２に示すように、ＯＤＤユニット８は、ＯＤＤ媒体が載置され、そのＯＤＤ媒体を設定された位置及び向きでの保持状態でＯＤＤユニット８内に挿入可能にする搬送トレー２０を備えている。ＯＤＤカバー１６は、搬送トレー２０の先端側に設置され、搬送トレー２０とともに電子機器２の前面側に向けてスライド移動する。また、このＯＤＤカバー１６は、カバー部１８に対して、接触せず且つＯＤＤ媒体が挿入できない程度の間隔で配置されている。
【００２４】
ＯＤＤカバー１６は、図３に示すように、ＯＤＤユニット８の開閉操作ボタン２２を備えている。この開閉操作ボタン２２が押下されると、搬送トレー２０は、ＯＤＤ媒体を搬送トレー２０上に載置可能な位置までスライド移動し、又は所定の位置まで突出してスライド操作が可能な状態となる。このＯＤＤカバー１６は、搬送トレー２０のスライド方向に対して所定の幅を備えており、例えば、搬送トレー２０が本体側筐体部４内に収納されると、カバー部１８や表示側筐体部５に対して同一面となるように設定されている。
【００２５】
ＯＤＤユニット８は、ＯＤＤ媒体が挿入される挿入口２４を備えており、搬送トレー２０に載置されたＯＤＤ媒体が挿入される。この搬送トレー２０は、例えば、載置されたＯＤＤ媒体を所定位置に保持する手段として、保持凸部２６を備えている。図示しないＯＤＤ媒体には、例えば、この保持凸部２６に対応した係合穴部が形成されている。ＯＤＤ媒体は、この保持凸部２６を係合穴部内に挿入する位置で搬送トレー２０に載置される。その他、ＯＤＤ媒体の保持手段として、例えば、搬送トレー２０にＯＤＤ媒体の形状に合わせた段差を備えた載置面を形成してもよい。
【００２６】
そして、ＯＤＤユニット８の挿入口２４は、上側筐体カバー１２のカバー部１８よりも電子機器２の内側に配置されており、その前面上部側の一部又は全部がカバー部１８により覆われている。即ち、搬送トレー２０が突出した状態において、ＯＤＤユニット８の挿入口２４の上側は、図３に示すように、カバー部１８により電子機器２の外部側に露出されないように配置されている。
【００２７】
これにより、ＯＤＤユニット８と収納部６との間の隙間が電子機器２の外部側に露出されないので、この隙間に対するＯＤＤ媒体の誤挿入が防止される。また、このカバー部１８とＯＤＤカバー１６との間にＯＤＤ媒体を無理に挿入しようとした場合は、ＯＤＤユニット８の前面側の部分に接触することになり、ＯＤＤユニット８と収納部６との間に進入させることがない。
【００２８】
斯かる構成によれば、ＯＤＤユニットを収納する筐体部の構成により、ＯＤＤユニットと筐体部間の隙間が筐体外部側に出なくなるので、ディスク媒体の誤挿入を防止することができるとともに、電子機器の組立て性を低下させない。ＯＤＤユニットや電子機器の変形により隙間が生じなくなり、ディスク媒体の誤挿入を防止できる。誤挿入防止構造がＯＤＤユニットに接触しないので、ディスク媒体の動作異常や異音等の発生を防止することができる。
【００２９】
〔第２の実施の形態〕
【００３０】
次に、第２の実施の形態について、図４、図５、図６を参照する。図４は、第２の実施の形態に係るＰＣの外観構成例を示す図、図５は、ＯＤＤユニットから搬送トレーが突出した状態の外観構成例を示す図、図６は、ＯＤＤユニットのトレーの開閉状態に対するＯＤＤ媒体の誤挿入防止構造の一例を示す図である。図４〜図６に示す構成は一例であって、これに限定されない。また、図４〜図６において、図１〜図３と同様の構成については説明を省略する。
【００３１】
このＰＣ（Personal Computer)３０は、本開示の電子機器の一例であって、図４に示すように、内蔵したＯＤＤ装置３２に対する誤挿入防止構造３４を備えている。このＰＣ３０は、例えば、本体筐体部３６と表示側筐体部３８とをヒンジ部４０により開閉可能に接続している。
【００３２】
本体筐体部３６は、既述の本体筐体部４の一例であり、例えば、キーボードやタッチパッド、その他マウス等の操作部４２を備えるとともに、ＯＤＤ装置３２等のドライブ装置や、制御基板等の制御部品を内蔵している。そして、本体筐体部３６の側面側には、ＯＤＤ装置３２に対して、ＯＤＤ媒体の誤挿入防止構造３４を備えている。
【００３３】
表示側筐体部３８は、既述の表示側筐体部５の一例であって、例えば、ＬＣＤ（Liquid Crystal Display) 等で構成された表示部４４を備えている。
【００３４】
ＯＤＤ装置３２は、既述のＯＤＤユニット８の一例であって、ＰＣ３０の本体筐体部３６の側面側に収納されている。このＯＤＤ装置３２は、図５に示すように、ＯＤＤ媒体を搬送するトレー４６をＰＣ３０の側面方向にスライドさせてＯＤＤ媒体を挿入口４７内に挿入し、又は排出する。このトレー４６は、ＰＣ３０の筐体部の一部を構成するＯＤＤカバー４８を備えている。
【００３５】
このＯＤＤ装置３２は、図６に示すように、本体筐体部３６の上側筐体カバー５０と下側筐体カバー５２との接合により形成された収納部５４内に収納されている。そして、このＯＤＤ装置３２に対する誤挿入防止構造３４として、上側筐体カバー５０は、リブ５６を備えている。このリブ５６は、既述のカバー部１８の一例であって、ＰＣ３０の側面側筐体の一部を構成しており、挿入口４７を形成するＯＤＤ装置３２の筐体上部５８側を覆う位置まで突出している。この筐体上部５８は、内蔵するＯＤＤ装置３２の上側筐体部の一例である。
【００３６】
このリブ５６の突出位置に対し、ＯＤＤ装置３２のトレー４６の開閉状態を図６に示す。
【００３７】
このトレー４６は、図示しないＯＤＤ媒体を保持凸部６０の位置に合わせて載置し、ＯＤＤ装置３２の挿入口４７内にスライド移動する。この保持凸部６０を備えたトレー４６は、図６Ａに示すように、ＯＤＤ媒体を載置する状態では、挿入口４７から露出する位置に配置される。
【００３８】
リブ５６は、図６Ｂに示すように、保持凸部６０に対して接触しない位置まで突出されている。そして、ＯＤＤ装置３２は、開閉操作を契機に自動又は手動でトレー４６を挿入口４７側にスライドさせる。このリブ５６は、例えば、保持凸部６０との間にＯＤＤ媒体が進入しない位置まで突出されればよい。
【００３９】
そして、図６Ｃに示すように、トレー４６及び保持凸部６０は、リブ５６の下側を通過して挿入口４７内に収納される。ＯＤＤカバー４８の上部は、例えば、リブ５６に対応した形状を備えており、リブ５６との接触部分に対してＯＤＤ媒体が進入しないように構成されている。また、ＯＤＤカバー４８とリブ５６は、例えば、ＰＣ３０のヒンジ部４０側に向けて曲線状に形成してもよい。これにより、直線状のＯＤＤ媒体の挿入を防止することができ、リブ５６とともに、誤挿入防止構造３４を構成する。
【００４０】
次に、ＰＣの本体筐体部の構成について、図７、図８、図９、図１０及び図１１を参照する。図７は、本体筐体部の構成例を示す分解図、図８は、ＰＣの本体筐体部の下面側の構成例を示す図、図９は、ＰＣの本体筐体部の下側カバーを外した状態の一例を示す図、図１０は、ＰＣの本体筐体部の構成例を示す分解図、図１１は、ＯＤＤ装置の構成例を示す図である。図７〜図１１に示す構成は一例であって、これに限られない。
【００４１】
ＰＣ３０の本体筐体部３６は、例えば、上面側から見て、操作部４２、上側筐体カバー５０、制御基板６２、ＯＤＤ装置３２、下側筐体カバー５２等を積層している。
【００４２】
操作部４２は、その上面に例えば、樹脂性のキーパッド等が配列されており、キーパッドの押下による操作入力の検知信号をコネクタケーブル６４を通じて制御基板６２側に送信する。制御基板６２は、この検知信号に応じて、文字入力や表示部４４に表示されたカーソル等の操作を行う。
【００４３】
上側筐体カバー５０は、既述のように、側面側にＯＤＤ装置３２の上部側を覆うように構成されたリブ５６や、操作部４２を載置する載置部６６を備える。この載置部６６の裏面側の一部は、ＯＤＤ装置３２の上部側に配置されて収納部５４を構成している。載置部６６は、例えば、金属製材料で構成され、操作部４２等に対する押圧に対してＯＤＤ装置３２や制御基板６２等が影響されないよう補強機能を有する。
【００４４】
制御基板６２は、例えば、マザーボード等で構成されており、ＯＤＤ装置３２を接続するコネクタや、ＰＣ３０を制御するＣＰＵやＲＡＭ等を備える。
【００４５】
下側筐体カバー５２は、制御基板６２を所定位置に載置して保持する複数の保持部６８を備えている。また、下側筐体カバー５２の側面側にはＯＤＤ装置３２の搭載位置に合わせた窓部７０を備えており、図８及び図９に示すように、上側筐体カバー５０との接合により、ＯＤＤ装置３２の収納部５４を構成する。下側筐体カバー５２は、例えば、樹脂製材料で構成されている。下側筐体カバー５２は、後述するＯＤＤ装置３２の挿抜処理において、収納部５４内を移動するＯＤＤ装置３２の変位動作を可能にしている。
【００４６】
その他、上側筐体カバー５０、下側筐体カバー５２は、ヒンジ部４０を収納して保持するヒンジカバー７２、７４や、その他の機能部品等を搭載可能に構成している。
【００４７】
また、図１０に示すように、上側筐体カバー５０に設置された載置部６６は、例えば、ＯＤＤ装置３２を保持するための立壁部７６を備えてもよい。この立壁部７６は、例えば、収納部５４の側面部を構成しており、本体筐体部３６内でＯＤＤ装置３２が移動するのを防止している。
【００４８】
制御基板６２は、ＯＤＤ装置３２に対して接続し、データの送受信を行うためのコネクタ７８を備えている。このコネクタ７８に対し、収納部５４内に収納されたＯＤＤ装置３２の後部側に設置したコネクタ８０が挿入されることで、ＰＣ３０のデータの記録手段又は読出し手段として機能する。
【００４９】
ＯＤＤ装置３２は、図１１に示すように、内蔵したトレー４６及びＯＤＤ媒体を保護するためのＯＤＤ筐体部８２を備えている。このＯＤＤ筐体部８２は、例えば、金属で構成されている。ＯＤＤ装置３２の前面側には、トレー４６に設置したＯＤＤカバー４８が配置されている。このＯＤＤカバー４８は、例えば、ＯＤＤ筐体部８２に対して、その筐体上部５８側よりも低い高さに配置されている。そして、ＯＤＤ装置３２を本体筐体部３６に搭載した場合、リブ５６は、先端側をＯＤＤカバー４８の上面部８４側に向けて、ＯＤＤ筐体部８２の筐体上部５８側を覆う位置まで突出する。これにより、ＯＤＤ装置３２と収納部５４との間の隙間を覆い隠すことでＯＤＤ媒体の誤挿入防止構造３４を構成する。
【００５０】
尚、図１１に示すコネクタ８０は、ＯＤＤ装置３２のＯＤＤ筐体部８２から突出しているが、これに限られない。例えば、ＯＤＤ装置３２の後部側において、コネクタ８０をその内部に収納する収納部を備えるようにＯＤＤ筐体部８２を構成し、又は、ＯＤＤ筐体部８２と接合される部品を配置し、制御基板６２側のコネクタ７８に対して、この収納部内で接合させてもよい。
【００５１】
斯かる構成によれば、ＯＤＤ装置を収納する筐体部の構成により、ＯＤＤ装置とそれを収納する筐体部との隙間が筐体外部側に出なくなるので、ＯＤＤ媒体の誤挿入を防止することができるとともに、電子機器の組立て性を低下させない。ＯＤＤ装置やＰＣ等の電子機器の変形により隙間が生じなくなり、ＯＤＤ媒体の誤挿入を防止できる。また、誤挿入防止構造がＯＤＤ装置に接触しないので、ディスク媒体の動作異常や異音等の発生を防止することができる。
【００５２】
〔第３の実施の形態〕
【００５３】
次に、第３の実施の形態について、図１２、図１３、図１４を参照する。図１２は、第３の実施の形態に係る上側筐体カバーの構成例を示す図、図１３は、ＯＤＤ装置の挿抜状態の一例を示す図、図１４は、下側筐体カバーを備えた場合のＯＤＤ装置の挿抜状態の一例を示す図である。図１２〜図１４に示す構成は一例であって、これに限定されない。
【００５４】
上側筐体カバー５０は、操作部４２等を載置する載置部６６を備える。この載置部６６の裏面側、即ち、本体筐体部３６の内面側はＯＤＤ装置３２を収納する収納部５４の天井部分を構成している。また、この上側筐体カバー５０は、その側面側に、既述のように、収納されたＯＤＤ装置３２の上部側の一部を覆うことで誤挿入を防止するリブ５６を備えている。
【００５５】
この収納部５４に対して、ＯＤＤ装置３２は、図１２の矢印方向にスライドさせて挿抜処理が行われる。この挿抜処理において、上側筐体カバー５０と下側筐体カバー５２とが接合している場合、既述した誤挿入防止構造のため、ＯＤＤ装置３２をスライドさせると、例えば、ＯＤＤ装置３２の筐体上部５８側がリブ５６に対して接触し、収納部５４からＯＤＤ装置３２を抜き取ることができない。
【００５６】
そこで、この上側筐体カバー５０は、リブ５６の内側に一又は複数の挿抜リブ９０を備える。この挿抜リブ９０は、例えば、リブ５６から収納部５４の内部側に向けて垂直方向に立壁を形成する。そして、挿抜リブ９０は、リブ５６から収納部５４の内部側に向けて下降させたスロープ（Slope)状に構成している。これにより、ＯＤＤ装置３２は、挿抜リブ９０上にせり上げられて、スライド方向が変位されることで、リブ５６に遮られることなく、収納部５４から抜き出される。
【００５７】
ＯＤＤ装置３２の抜出し処理は、図１３に示すように、コネクタ７８とコネクタ８０とが接続した状態（図１３Ａ）に対し、ＯＤＤ装置３２は、前方側に向けて所定距離Ｘ1 として、例えば、５〔ｍｍ〕移動される。これにより、ＯＤＤ装置３２の筐体上部５８が挿抜リブ９０に接触する（図１３Ｂ）。この状態において、ＯＤＤ装置３２のコネクタ７８と制御基板６２のコネクタ８０との接続が解除されないように、収納部５４、挿抜リブ９０及びコネクタ７８、８０を配置構成している。これにより、例えば、収納部５４内からＯＤＤ装置３２を抜き出しが可能になる前にコネクタ７８、８０の接続が解除されて収納部５４内にＯＤＤ装置３２が保持されなくなるのを防止できる。
【００５８】
そして、ＯＤＤ装置３２が更に所定距離Ｘ2 として、例えば、２〔ｍｍ〕移動されると、ＯＤＤ装置３２は、挿抜リブ９０にせり上げられ、移動方向が斜め下方に変位してスライドする（図１３Ｃ）。ＯＤＤ装置３２が挿抜リブ９０上にせり上げられる際に、コネクタ７８、８０の接続が解除され、ＯＤＤ装置３２は収納部５４から抜き取られる。
【００５９】
また、この抜出し動作に関し、本体筐体部３６の下側筐体カバー５２を接合した場合を図１４に示す。
【００６０】
コネクタ７８、８０の接続状態では、ＯＤＤ装置３２は、所定の位置に収納され、下側筐体カバー５２に載置されている（図１４Ａ）。既述のように、ＯＤＤ装置３２が前方に向けてスライドされると、筐体上部５８が挿抜リブ９０に接触する（図１４Ｂ）。そして、更にＯＤＤ装置３２がスライドされると、筐体上部５８が挿抜リブ９０にせり上げられ、ＯＤＤ装置３２はスライド方向が変位される。このとき、ＯＤＤ装置３２の変位に対し、下側筐体カバー５２は、矢印Ａ方向にＯＤＤ装置３２により撓んで変形する（図１４Ｃ）。この下側筐体カバー５２は、例えば、弾性機能を備える樹脂等で構成されればよく、一部分を変形させることでＯＤＤ装置３２の挿抜処理を可能にする。
【００６１】
尚、ＯＤＤ装置３２を収納部５４内に挿入する場合は、上記の抜出し操作と逆の工程を行えばよい。即ち、ＯＤＤ装置３２を挿抜リブ９０に接触させながら収納部５４内にスライドさせ、筐体上部５８を挿抜リブ９０に沿わせてスライドし、挿入する。
【００６２】
斯かる構成により、ＯＤＤ装置３２のリブ５６により誤挿入を防止するとともに、スロープ状の挿抜リブ９０に沿ってスライドさせることで、例えば、下側筐体カバー５２等を分離することなく、ＯＤＤ装置３２の挿抜処理を行うことができる。
【００６３】
〔第４の実施の形態〕
【００６４】
次に、第４の実施の形態について、図１５を参照する。図１５は、第４の実施の形態に係る電子機器の製造処理の一例を表すフローチャートである。図１５に示す処理内容、処理手順等は一例であって、これに限定されない。
【００６５】
この製造方法は、本開示の電子機器の製造方法の一例である。この製造方法は、例えば、第１の筐体部の形成工程（ステップＳ１）と、第２の筐体部の形成工程（ステップＳ２）と、第１の筐体部と第２の筐体部とを接合させる工程（ステップＳ３）と、ＯＤＤ装置を収納部内に挿入する工程（ステップＳ４）とを含む。
【００６６】
第１の筐体部の形成工程では、電子機器２の本体筐体部３６の上側筐体カバー５０を形成する（ステップＳ１）。この上側筐体カバー５０は、例えば、樹脂材料を成形し、操作部４２を配置する窓、側面側にリブ５６や挿抜リブ９０等を一体に形成する。リブ５６は、ＯＤＤ装置３２の挿入口の上部側を覆うように形成する。そして、この上側筐体カバー５０の内側に、載置部６６等を設置する。
【００６７】
第２の筐体部の形成工程では、下側筐体カバー５２を形成する（ステップＳ２）。下側筐体カバー５２は、例えば、樹脂材料を成形し、制御基板６２を保持する保持部６８や、側面側にＯＤＤ装置３２を搭載する窓部７０を形成する。
【００６８】
これらの上側筐体カバー５０及び下側筐体カバー５２は、既述のように構成すればよい。
【００６９】
そして、成形された第１の筐体部と第２の筐体部とを接合して、本体筐体部３６を組立てる（ステップＳ３）。この組立て処理では、図７に示すように、上側筐体カバー５０と下側筐体カバー５２との間に制御基板６２等を所定位置に挟持させる。これにより、本体筐体部３６の内部には、ＯＤＤ装置３２を収納するための収納部５４が形成される。
【００７０】
次に、ＯＤＤ装置３２の収納工程を行う（ステップＳ４）。この工程は、例えば、図１４に示すように、ＯＤＤ装置３２を本体筐体部３６の挿入口４７に対して挿入し、上側筐体カバー５０の挿抜リブ９０に沿ってスライドさせる。そして、例えば、ＯＤＤカバー４８が所定の位置まで押し込まれると、誤挿入防止構造３４であるリブ５６がＯＤＤ装置３２の筐体上部５８の一部を覆う位置まで挿入される。そして、ＯＤＤ装置３２のコネクタ７８と制御基板６２のコネクタ８０とが接続される。
【００７１】
なお、ＯＤＤ装置３２は、例えば、第１の筐体部と第２の筐体部との接合工程（ステップＳ３）において、制御基板６２のコネクタ８０に接続してもよい。また、電子機器２の分離解除処理では、上記工程を逆順で行えばよい。
【００７２】
斯かる構成によれば、ＯＤＤ装置を収納する筐体部に誤挿入防止構造を形成することで、部品点数を増やすことが無く、また、電子機器の組立て性を低下させない。本体筐体部を分解することなく、ＯＤＤ装置の挿抜処理を行うことが可能となる。
【００７３】
〔第１、第２、第３及び第４の実施の形態の利点及び特徴事項〕
【００７４】
(1) ＯＤＤユニット８やＯＤＤ装置３２の媒体挿入口の前面側に、電子機器２の筐体部品で誤挿入防止形状（誤挿入防止構造９、３４）を構成する。
【００７５】
(2) 誤挿入防止形状は、ＯＤＤユニット８のコネクタ接続時の移動距離で干渉しない位置、又はコネクタ接続時に旋回することで干渉しない位置に配置する。
【００７６】
(3) 誤挿入防止形状はＯＤＤユニット８の挿抜時に挿抜リブ９０にせり上げて旋回による変位を補助する。
【００７７】
(4) 従来の誤挿入防止構造に対して、ＯＤＤ媒体が挿入口以外に挿入し難くなり、ＯＤＤユニット８や電子機器２の変形によって、ＯＤＤ媒体が誤挿入されることが無くなる。
【００７８】
(5) 外部圧迫時にＯＤＤユニット８と誤挿入防止形状が接触しないため、異音や故障の恐れが無くなる。
【００７９】
(6) 誤挿入防止形状がＯＤＤユニット８の挿抜時の旋回による変位を補助することで、より小さな空間で誤挿入防止形状を設置できる。
【００８０】
〔比較例〕
【００８１】
次に、比較例について、図１６、図１７、図１８を参照する。図１６は、従来の誤挿入防止構造の比較例を示す図、図１７は、従来の誤挿入防止部品の配置例を示す図、図１８は、ＯＤＤ媒体を誤挿入した状態の一例を示す図である。
【００８２】
この電子機器２００は、ＯＤＤ装置３２を内蔵する情報処理装置の本体筐体部である。そして、この電子機器２００は、上側筐体カバー２０２と下側筐体カバー２０４とを接合し、内部にＯＤＤ装置３２やその他の制御部品等を備えている。
【００８３】
このＯＤＤ装置３２は、図１６の矢印で示す方向に対してＯＤＤ媒体を搬送する搬送トレー２１４（図１８）をスライド移動させる。この搬送トレー２１４には、ＯＤＤカバー２０６が設置されている。また、このＯＤＤ装置３２は、下側筐体カバー２０４に構成された収納窓部２０８（図１８）内に挿入されている。そして、搬送トレー２１４がＯＤＤ装置３２内に挿入されている場合には、収納窓部２０８内に配置されたＯＤＤカバー２０６が電子機器２００の外部筐体を構成している。この収納窓部２０８の上部側は、例えば、ＯＤＤ装置３２の挿抜を行うために、ＯＤＤ装置３２の筐体上部５８が通過可能な高さに構成されている。
【００８４】
また、上側筐体部２０２は、電子機器２００に収納されたＯＤＤ装置３２に対し、ＯＤＤ媒体の誤挿入の防止部品として、１又は複数のリブ２１０が形成されている。このリブ２１０は、ＯＤＤ装置３２の筐体上部５８の付近に形成されており、ＯＤＤ装置３２に対して接触し、又は近接させている。
【００８５】
このリブ２１０は、図１７に示すように、ＯＤＤ装置３２の搬送トレー２１４がスライドし、ＯＤＤカバー２０６が収納窓部２０８から離れると、電子機器２００の外部に向けて露出するように構成されている。
【００８６】
このような構成において、ＯＤＤ媒体２１２を搬送トレー２１４に正常に載置せず、例えば、ＯＤＤ媒体２１２の係止穴２１５を搬送トレー２１４の係止凸部２１６に設置しない場合を図１８に示す。
【００８７】
この場合、自動又は手動により搬送トレー２１４をＯＤＤ装置３２の内部に向けてスライドさせると、正常な位置に載置されていないＯＤＤ媒体２１２は、リブ２１０とＯＤＤ装置３２の筐体部２１８との間に挟み込まれる。即ち、搬送トレー２１４が開状態の場合、収納窓部２０８から筐体部２１８が露出する。この収納窓部２０８の上部側と筐体部２１８との間には、例えば、隙間ｈがあり、この隙間ｈの内部にＯＤＤ媒体２１２が誤挿入される。
【００８８】
この隙間ｈに対し、誤挿入防止部品であるリブ２１０が形成されているが、例えば、ＯＤＤ媒体２１２を強く押し込むと、ＯＤＤ装置３２や電子機器２００が変形することで、誤挿入が発生してしまうという課題がある。
【００８９】
その他、誤挿入防止部品として、例えば、リブ２１０に代えて、ＯＤＤ装置３２と上側筐体カバー２０２との間にスポンジ等を挿入するものもある。しかし、リブ２１０やスポンジを挿入すると、ＯＤＤ装置３２を制御基板等に接続する際、ＯＤＤ装置３２を移動させることができず、電子機器２００を分解する必要がある。
【００９０】
このような比較例に対し、本開示の電子機器２であるＰＣ３０は、挿入口４７を上側筐体カバー５０と下側筐体カバー５２との接合により形成し、上側筐体カバー５０に形成したリブ５６でＯＤＤ装置３２の上側の一部を覆う構成としている。これにより、ＯＤＤ装置３２のトレー４６を開状態にした場合でも、ＯＤＤ装置３２と収納部５４との間の隙間をＰＣ３０の外部に対して露出することが無く、誤挿入を防止することができる。さらに、ＯＤＤ装置３２に誤挿入防止構造３４であるリブ５６を接触させることが無いので、ＯＤＤ装置３２を圧迫することがなく、異音の発生や動作異常を生じさせない。
【００９１】
〔他の実施の形態〕
【００９２】
(1) 上記実施の形態では、本開示の電子機器２としてＰＣ３０を例示したが、これに限られない。ＯＤＤ装置３２を筐体内に内蔵する電子機器として、例えば、ＣＤやＤＶＤ等のＯＤＤ媒体に対してデータの読み出し、書込み等を行う機器３００に用いてもよい。この機器３００は、例えば、図１９に示すように、内部にＯＤＤ装置３２を収納する収納部を構成した筐体部３０２を備えている。この筐体部３０２には、既述のように、収納されたＯＤＤ装置３２の上部側の一部を覆うように形成されたリブ３０４を備えており、ＯＤＤ装置３２のトレー３０６が開状態となった場合、ＯＤＤ装置３２と収納部との隙間を露出させない構造を備える。斯かる構成によっても、ＯＤＤ媒体の誤挿入を防止することができる。
【００９３】
(2) その他、ＯＤＤ装置３２を備える電子機器２として、例えば、ゲーム機や携帯情報端末機（ＰＤＡ：Personal Digital Assistant）、外部接続の記録装置等を利用してもよい。
【００９４】
次に、以上述べた実施例を含む実施の形態に関し、更に以下の付記を開示する。以下の付記に本発明が限定されるものではない。
【００９５】
（付記１）  電子機器に内蔵し、ディスク媒体をスライドさせて挿入する挿入口を備えるディスクドライブユニットと、
前記ディスクドライブユニットの上面側を覆い、前記挿入口の上部側を覆うように形成されたカバー部を備える第１の筐体部と、
前記第１の筐体部と接合し、前記ディスクドライブユニットを収納する収納部を形成する第２の筐体部と、
を備えたことを特徴とする電子機器。
【００９６】
（付記２）  前記カバー部は、収納された前記ディスクドライブユニットの前記挿入口の上部側の一部又は全部を覆うように形成したことを特徴とする、付記１に記載の電子機器。
【００９７】
（付記３）  前記カバー部は、前記ディスク媒体のスライド方向に移動する前記ディスクドライブユニットに接触して、その移動方向を変位させる挿抜リブを備えることを特徴とする、付記１に記載の電子機器。
【００９８】
（付記４）  前記収納部は、前記ディスクドライブユニットの挿入先に前記ディスクドライブユニットのコネクタと接続されるコネクタを備え、
該コネクタは、スライド方向に移動した前記ディスクドライブユニットが前記挿抜リブに接触して変位することで接続を解除することを特徴とする、付記３に記載の電子機器。
【００９９】
（付記５）  前記第２の筐体部は、変位した前記ディスクドライブユニットと接触し、その一部を変形することで前記ディスクドライブユニットを挿抜させることを特徴とする、付記３に記載の電子機器。
【０１００】
（付記６）  ディスク媒体をスライドさせて挿入する挿入口を備えるディスクドライブユニットの上面側を覆い、前記挿入口の上部側を覆うように第１の筐体部にカバー部を形成する工程と、
前記第１の筐体部と接合し、前記ディスクドライブユニットを収納する収納部を第２の筐体部に形成する工程と
を含むことを特徴とする電子機器の製造方法。
【０１０１】
（付記７）  収納された前記ディスクドライブユニットの前記挿入口の上部側の一部、又は全部を覆うように前記カバー部を形成する工程とを含むことを特徴とする、付記６に記載の電子機器の製造方法。
【０１０２】
（付記８）  前記カバー部に前記ディスク媒体のスライド方向に移動する前記ディスクドライブユニットに接触して、その移動方向を変位させる挿抜リブを形成する工程を含むことを特徴とする、付記６に記載の電子機器の製造方法。
【０１０３】
以上説明したように、本開示の電子機器及びその製造方法について好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１０４】
２  電子機器
４、３６  本体筐体部
５、３８  表示側筐体部
６  収納部
８  ＯＤＤユニット
９  誤挿入防止構造
１０  操作部
１２、５０  上側筐体カバー
１４、５２  下側筐体カバー
１６、４８  ＯＤＤカバー
１８  カバー部
２０  搬送トレー
２４  挿入口
２６  保持凸部
３０  ＰＣ
３２  ＯＤＤ装置
３４  誤挿入防止構造
４７  挿入口
５４  収納部
５６  リブ
５８  筐体上部
７６  立壁部
８２  ＯＤＤ筐体部
９０  挿抜リブ
【図１】
2012033240.tif 000003
【図２】
2012033240.tif 000004
【図３】
2012033240.tif 000005
【図４】
2012033240.tif 000006
【図５】
2012033240.tif 000007
【図６】
2012033240.tif 000008
【図７】
2012033240.tif 000009
【図８】
2012033240.tif 000010
【図９】
2012033240.tif 000011
【図１０】
2012033240.tif 000012
【図１１】
2012033240.tif 000013
【図１２】
2012033240.tif 000014
【図１３】
2012033240.tif 000015
【図１４】
2012033240.tif 000016
【図１５】
2012033240.tif 000017
【図１６】
2012033240.tif 000018
【図１７】
2012033240.tif 000019
【図１８】
2012033240.tif 000020
【図１９】
2012033240.tif 000021